(57)【要約】【課題】動作履歴情報を絞り込んで呼び出すことによって、従来よりも容易に所望の動作条件を見つけることが出来る画像形成装置を提供することを目的とする。【解決手段】画像形成装置が、装置動作毎の動作履歴情報を記憶部が記憶し、動作履歴情報を表示部が表示し、操作部が受け付けた操作指示に基づいて表示部が表示する動作履歴情報の中から選択された動作履歴情報に含まれる装置動作条件を、これから実行する装置動作の装置動作条件へ反映する画像形成装置であって、装置動作条件に含まれる所定の動作設定の検索指示を操作部が受け付けると、当該所定の動作設定がデフォルト値ではない動作履歴情報を記憶部が記憶する全ての動作履歴情報の中から検索し、検索結果に基づいて所定の動作設定がデフォルト値ではない動作履歴情報を表示部に表示させる制御部を、具備する。【選択図】図１
2010105179.tif 000002
【特許請求の範囲】
【請求項１】
装置動作毎の動作履歴情報を記憶部が記憶し、前記動作履歴情報を表示部が表示し、操作部が受け付けた操作指示に基づいて前記表示部が表示する動作履歴情報の中から選択された動作履歴情報に含まれる装置動作条件を、これから実行する装置動作の装置動作条件へ反映する画像形成装置であって、
装置動作条件に含まれる所定の動作設定の検索指示を前記操作部が受け付けると、当該所定の動作設定がデフォルト値ではない動作履歴情報を前記記憶部が記憶する全ての動作履歴情報の中から検索し、検索結果に基づいて前記所定の動作設定がデフォルト値ではない動作履歴情報を前記表示部に表示させる制御部を、
具備することを特徴とする画像形成装置。
【請求項２】
前記制御部は、前記操作部が所定の動作設定の設定選択画面表示指示を受け付けると、当該所定の動作設定がデフォルト値ではない動作履歴情報を前記記憶部が記憶する全ての動作履歴情報の中から検索し、前記設定選択画面表示指示に基づいて前記動作設定の設定選択画面を表示部に表示させると共に検索結果に基づいて前記所定の動作設定がデフォルト値ではない動作履歴情報を前記表示部に表示させることを特徴とする請求項１に記載の画像形成装置。
【請求項３】
前記制御部は、検索結果に基づいて１件ずつ動作履歴情報を前記表示部に表示させ、前記操作部が受け付けるページ切替指示に応じて前または次の動作履歴情報へ前記表示部に切り替えさせることを特徴とする請求項１または２に記載の画像形成装置。
【請求項４】
前記制御部は、前記操作部が検索画面表示指示を受け付けると、前記表示部に検索画面を表示させ、前記検索画面のキーワード入力フィールドに検索キーワードとして入力された所定の動作設定がデフォルト値ではない動作履歴情報を前記記憶部が記憶する全ての動作履歴情報の中から検索し、検索結果に基づいて当該所定の動作設定がデフォルト値ではない動作履歴情報を前記表示部に表示させることを特徴とする請求項１〜３のいずれかに記載の画像形成装置。
【請求項５】
前記制御部は、第１の動作設定がデフォルト値ではない動作履歴情報を前記記憶部が記憶する全ての動作履歴情報の中から検索した後に、前記操作部が受け付けた検索画面表示に基づいて前記表示部に検索画面を表示させると、前記検索画面のキーワード入力フィールドに検索キーワードとして入力された第２の動作設定がデフォルト値ではない動作履歴情報を既に第１の動作設定によって検索された動作履歴情報の中から検索し、検索結果に基づいて既に第１の動作設定によって検索された動作履歴情報の中から前記第２の動作設定がデフォルト値ではない動作履歴情報を前記表示部に表示させることを特徴とする請求項１〜３のいずれかに記載の画像形成装置。
【発明の詳細な説明】
【技術分野】
【０００１】
本発明は、複写機及び複合機等の画像形成装置に関する。
【背景技術】
【０００２】
現在、複写機及び複合機等の画像形成装置では、コピー処理またはファクシミリ処理等における動作条件を動作履歴情報として記憶し、記憶した動作履歴情報の一覧を表示部が表示し、表示部が表示した動作履歴情報の中から所望の動作条件を有する動作履歴情報を選択させるものが存在する。そして、このような画像形成装置によって、ユーザは、コピー処理またはファクシミリ処理等を以前と同じ動作条件で実行する場合に、表示部に表示された複数の動作履歴情報の中から所望の動作履歴情報を選択することによって、動作条件を再設定しなくても以前と同じ動作条件で各種処理を実行することが出来る。
【０００３】
そして、このように記憶した動作履歴情報の一覧を表示部が表示し、表示部が表示した動作履歴情報の中から所望の動作履歴情報を選択させる画像形成装置として、下記特許文献１には、ユーザの指示がなくても設定情報を蓄積し、蓄積された設定情報を活用して、現在の装置設定を容易かつ迅速に設定することが出来るものが開示されている。この画像形成装置は、印刷に関する各種機能項目を表示する表示手段と、機能項目に関する設定情報を入力する入力手段とを備えた画像形成装置であって、設定情報を履歴データとして記憶する記憶手段と、入力手段によって入力された設定情報を読み取って、当該設定情報を記憶手段に自動的にて順次自動的に書き込むデータ書込手段とを備え、表示手段は、記憶手段に記憶された履歴データを設定履歴として一覧表示する。
【特許文献１】特開２００５−２１２１３７号公報
【発明の開示】
【発明が解決しようとする課題】
【０００４】
ところで、上記従来技術では、動作履歴情報の一覧を表示部に表示し、当該動作履歴情報の中から所望の動作条件を選択することによって、容易かつ迅速にコピー処理またはファクシミリ処理等の各処理を以前と同じ動作条件で実行することが可能であった。しかしながら、上記従来技術では、全ての動作履歴情報を一覧化して表示している為、一覧化された動作履歴情報一つ一つを確認しながら、全ての動作履歴情報の中から所望の動作条件をユーザは探さなければならなかった。このように、絞り込みされていない動作履歴情報の中から所望の動作条件を探さなければ成らない為、動作履歴情報の数が多い場合には、動作履歴情報の一覧から所望の動作条件を探すよりも、手動で各種設定を設定した方が結局は早くなってしまうことがあった。
【０００５】
本発明は、上述した事情に鑑みてなされたものであり、動作履歴情報を絞り込んで呼び出すことによって、従来よりも容易に所望の動作条件を見つけることが出来る画像形成装置を提供することを目的とする。
【課題を解決するための手段】
【０００６】
上記目的を達成するために、本発明では、画像形成装置に係る第１の解決手段として、装置動作毎の動作履歴情報を記憶部が記憶し、前記動作履歴情報を表示部が表示し、操作部が受け付けた操作指示に基づいて前記表示部が表示する動作履歴情報の中から選択された動作履歴情報に含まれる装置動作条件を、これから実行する装置動作の装置動作条件へ反映する画像形成装置であって、装置動作条件に含まれる所定の動作設定の検索指示を前記操作部が受け付けると、当該所定の動作設定がデフォルト値ではない動作履歴情報を前記記憶部が記憶する全ての動作履歴情報の中から検索し、検索結果に基づいて前記所定の動作設定がデフォルト値ではない動作履歴情報を前記表示部に表示させる制御部を、具備するという手段を採用する。
【０００７】
本発明では、画像形成装置に係る第２の解決手段として、上記第１の解決手段において、前記制御部は、前記操作部が所定の動作設定の設定選択画面表示指示を受け付けると、当該所定の動作設定がデフォルト値ではない動作履歴情報を前記記憶部が記憶する全ての動作履歴情報の中から検索し、前記設定選択画面表示指示に基づいて前記動作設定の設定選択画面を表示部に表示させると共に検索結果に基づいて前記所定の動作設定がデフォルト値ではない動作履歴情報を前記表示部に表示させるという手段を採用する。
【０００８】
本発明では、画像形成装置に係る第３の解決手段として、上記第１または第２の解決手段において、前記制御部は、検索結果に基づいて１件ずつ動作履歴情報を前記表示部に表示させ、前記操作部が受け付けるページ切替指示に応じて前または次の動作履歴情報へ前記表示部に切り替えさせるという手段を採用する。
【０００９】
本発明では、電子機器に係る第４の解決手段として、上記第１〜第３いずれかの解決手段において、前記制御部は、前記操作部が検索画面表示指示を受け付けると、前記表示部に検索画面を表示させ、前記検索画面のキーワード入力フィールドに検索キーワードとして入力された所定の動作設定がデフォルト値ではない動作履歴情報を前記記憶部が記憶する全ての動作履歴情報の中から検索し、検索結果に基づいて当該所定の動作設定がデフォルト値ではない動作履歴情報を前記表示部に表示させるという手段を採用する。
【００１０】
本発明では、電子機器に係る第５の解決手段として、上記第１〜第３いずれかの解決手段において、前記制御部は、第１の動作設定がデフォルト値ではない動作履歴情報を前記記憶部が記憶する全ての動作履歴情報の中から検索した後に、前記操作部が受け付けた検索画面表示に基づいて前記表示部に検索画面を表示させると、前記検索画面のキーワード入力フィールドに検索キーワードとして入力された第２の動作設定がデフォルト値ではない動作履歴情報を既に第１の動作設定によって検索された動作履歴情報の中から検索し、検索結果に基づいて既に第１の動作設定によって検索された動作履歴情報の中から前記第２の動作設定がデフォルト値ではない動作履歴情報を前記表示部に表示させるという手段を採用する。
【発明の効果】
【００１１】
本発明によれば、画像形成装置が、画像形成動作毎の動作履歴情報を記憶部が記憶し、動作履歴情報を表示部が表示し、操作部が受け付けた操作指示に基づいて表示部が表示する動作履歴情報の中から選択された動作履歴情報に含まれる画像形成条件を、これから実行する画像形成動作の画像形成条件へ反映する画像形成装置であって、画像形成条件に含まれる所定の動作設定の検索指示を操作部が受け付けると、当該所定の動作設定がデフォルト値ではない動作履歴情報を記憶部が記憶する全ての動作履歴情報の中から検索し、検索結果に基づいて所定の動作設定がデフォルト値ではない動作履歴情報を表示部に表示させる制御部を、具備する。
【００１２】
このように、本発明に係る画像形成装置は、検索によって動作履歴情報を絞り込み、絞りこんだ動作履歴情報を表示部に表示させる為、従来よりも容易に所望の画像形成条件を動作履歴情報の中から見つけることが出来る。
【発明を実施するための最良の形態】
【００１３】
以下、図面を参照して、本発明の一実施形態について説明する。本実施形態は、本発明の画像形成装置の一つであるコピー機能、プリント機能、スキャン機能及びファクシミリ送信／受信機能を併せ持つ複合機に関する。
まず、複合機Ａの機能構成について、図１を参照して、説明する。図１は、本実施形態に係る複合機Ａの機能ブロック図である。複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９、操作表示部１０及び動作履歴情報記憶部１１を備えている。
【００１４】
ＣＰＵ１は、ＲＯＭ２に記憶されている制御プログラム、各種センサ群４から受信する各種検出信号、画像データ記憶部７に記憶されている原稿画像データ、プリント画像データ及びファクシミリ画像データ、通信Ｉ／Ｆ部９を介してクライアントコンピュータ（図示略）及び公衆網（図示略）から入力される各種指示及び操作表示部１０から入力される操作指示に基づいて複合機Ａの全体動作を制御する。なお、このＣＰＵ１の制御処理の詳細については、以下に複合機Ａの動作として説明する。なお、このＣＰＵ１の制御処理の詳細については、以下に複合機Ａの動作として説明する。
ＲＯＭ２は、ＣＰＵ１で実行される制御プログラム及びその他のデータを記憶する不揮発性メモリである。
【００１５】
ＲＡＭ３は、ＣＰＵ１が制御プログラムを実行して各種動作を行う際に、データの一時保存先となるワーキングエリアとして用いられる揮発性メモリである。
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
【００１６】
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
【００１７】
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データを画像データ記憶部７に記憶させる。
画像データ記憶部７は、例えばフラッシュメモリであり、ＣＰＵ１の指示の下、原稿画像データ、通信Ｉ／Ｆ部９がクライアントコンピュータ（図示略）から受信するプリント画像データ及び通信Ｉ／Ｆ部９が公衆網（図示略）から受信するファクシミリ画像データを記憶する。
【００１８】
画像形成部８は、ＣＰＵ１の制御の下、画像データ記憶部７に記憶されている原稿画像データ、プリント画像データまたはファクシミリ画像データに基づいて、用紙搬送部５から搬送される印刷用紙にトナーによって形成される画像形成画像を転写し、定着ローラによって当該画像形成画像の定着処理を行う。
通信Ｉ／Ｆ部９は、クライアントコンピュータ（図示略）及び公衆網（図示略）に接続し、このクライアントコンピュータ及び公衆網との間で各種信号の送受信を行う。
【００１９】
操作表示部１０は、コピー機能切替キー、プリント機能切替キー、スキャン機能切替キー、ファクシミリ機能切替キー、スタートキー、ストップ／クリアキー、電源キー、テンキー（数値入力キー）、タッチパネル１０ａ及びその他の各種操作キーを備えており、それぞれのキーの操作指示をＣＰＵ１に出力すると共に、ＣＰＵ１の制御の下、タッチパネル１０ａへ種々の画面を表示する。なお、コピー機能切替キー、プリント機能切替キー、スキャン機能切替キー及びファクシミリ機能切替キーは、それぞれの機能をユーザが使用する場合に、各機能の動作モードへ複合機Ａを切り替える為のキーである。
【００２０】
動作履歴情報記憶部１１は、例えばフラッシュメモリまたはＨＤＤ（Hard Disk Drive）であり、ＣＰＵの制御の下、コピー機能またはファクシミリ機能等の各種機能の動作履歴情報が登録された動作履歴情報テーブルを記憶する。
図２は、上記動作履歴情報テーブルを示す模式図である。動作履歴情報テーブルは、図２に示すように、動作履歴情報番号毎に、動作機能、動作履歴情報及び動作終了時間が登録されたデータテーブルである。動作履歴情報番号は、各動作履歴情報が動作履歴情報テーブルに登録される際に割り当てられる識別番号である。
【００２１】
そして、その動作履歴情報番号に応じてコピー機能またファクシミリ送信機能等の動作機能と、その動作機能における動作履歴情報として、コピー機能であれば集約コピー及びステープル等のコピー条件またはファクシミリ送信機能であれば送信先ファクシミリ番号及び両面ファクシミリ送信等のファクシミリ送信条件が登録されている。さらに、動作履歴情報テーブルには、動作履歴情報番号毎に動作終了時間も登録されている。ＣＰＵ１は、各機能の動作が終了すると、動作履歴情報を動作履歴情報テーブルへ登録する。
【００２２】
次に、上記のように構成された本実施形態に係る複合機Ａの動作について図３を参照して詳しく説明する。図３は、本実施形態に係る複合機Ａの動作を示すフローチャートである。
ます、複合機Ａによって原稿を複写しようとするユーザは、操作表示部１０のコピー機能切替キーを押下することによってコピー機能の動作モードへ切り替え、画像読取部６のＡＤＦへ原稿をセットする。複合機Ａでは、コピー機能の動作モードに切り替わると、タッチパネル１０ａは、ＣＰＵ１の制御の下、コピー基本画面を表示する。
【００２３】
図４は、本実施形態に係る複合機Ａのコピー基本画面を示す図である。上記コピー基本画面とは、複合機Ａのコピー機能におけるトップ画面であり、コピー条件の各設定の設定値をユーザに選択させる設定選択画面を表示させる為の設定選択画面表示ボタン等の操作ボタンを表示する画面である。そして、コピー基本画面では、図４に示すように、「簡単設定」グループに属する「ステープル／パンチ」ボタン及び「用紙選択」ボタン等の設定選択画面表示ボタンが表示されると共に、選択中のグループを示すタブ（簡単設定）、他のグループの設定選択画面表示ボタンを表示させるための操作ボタンの一種としてのタブ（機能リスト及びプログラム等）が表示される。さらに、コピー基本画面では、図４に示すように、その左部分に現在のコピー条件を反映したコピーイメージが表示される。
【００２４】
ＣＰＵ１は、コピー基本画面の「ステープル／パンチ」ボタンの押下によってステープル／パンチ設定選択画面表示指示をタッチパネル１０ａが受け付けると、ステープル／パンチ設定がデフォルト値ではない動作履歴情報を動作履歴情報テーブルから検索する（ステップＳ１）。図２の動作履歴情報テーブルの動作履歴情報のステープル／パンチ設定に登録されている「設定なし」が、ステープル／パンチ設定におけるデフォルト値である。すなわち、ＣＰＵ１は、上記ステップＳ１において、図２の動作履歴情報テーブルの動作履歴情報番号「０００１」、「０００３」及び「０００５」の動作履歴情報を、ステープル／パンチ設定がデフォルト値ではない動作履歴情報として検索する。
【００２５】
ＣＰＵ１は、ステップＳ１の後に、コピー基本画面の上部分にステープル／パンチ設定選択画面をタッチパネル１０ａに表示させると共に上記ステップＳ１の検索結果に基づいてコピー画面の右部分に１件ずつの動作履歴情報を表示する検索結果画面をタッチパネル１０ａに表示させる（ステップＳ２）。
図５は、本実施形態に係る複合機Ａのステープル／パンチ設定選択画面及び検索結果画面を表示するコピー基本画面を示す図である。このコピー基本画面は、ステープル／パンチ設定選択画面によってステープル／パンチ設定をユーザに選択させ、さらに検索結果画面によって動作履歴情報の中から所望のコピー条件を有するものをユーザに選択させる画面である。
【００２６】
上記ステープル／パンチ設定選択画面には、図５に示すように、各種ステープル／パンチ設定を選択する為の設定選択ボタンが表示されている。ユーザは、これら設定選択ボタンを押下することによって、複合機Ａを所望のステープル／パンチ設定に設定する。
また、上記検索結果画面は、上記ステップＳ１の検索結果に基づいて１件ずつ動作履歴情報が表示される画面である。検索結果画面には、検索された動作履歴情報の設定値を反映させたコピーイメージ、検索された動作履歴情報に登録されているデフォルト値とは異なる設定値に設定された各種設定、「内容を反映」ボタン、検索結果ページ数、ページ戻しボタン及びページ送りボタンが表示されている。なお、図５のコピー基本画面における検索結果画面は、図２の動作履歴情報テーブルの動作履歴情報「０００１」の動作履歴情報を反映させた画面である。
【００２７】
ページ戻りボタン及びページ送りボタンは、上記ステップＳ１の検索の結果、デフォルト値ではないステープル／パンチ設定が２件以上動作履歴情報テーブルに存在する場合に、表示される。そして、ページ送りボタンが押下されると、１件毎の動作履歴情報を表示する検索結果画面は、次ページの検索結果画面へ切り替わる。例えば、１つ目（動作履歴情報番号「０００１」）の動作履歴情報を表示する検索結果画面は、ページ送りボタンの押下によって２つ目（動作履歴情報番号「０００３」）の動作履歴情報を表示する検索結果画面へ切り替わる。
【００２８】
また、検索結果画面は、ページ戻りボタンの押下によって前ページの検索結果画面へ切り替わる。例えば、１つ目（動作履歴情報番号「０００１」）の動作履歴情報を表示する検索結果画面は、ページ戻りボタンの押下によって３つ目（動作履歴情報番号「０００５」）の動作履歴情報を表示する検索結果画面へ切り替わる。
「内容を反映」ボタンは、検索結果画面に表示されている動作履歴情報の各種設定をコピー条件に反映させる為のボタンである。ユーザが、この「内容を反映」ボタンを押下すると、検索結果画面に表示されている動作履歴情報の各種設定が複合機Ａのコピー条件に反映される。
さらに、検索結果画面には、「検索」ボタンが表示されている。なお、「検索」ボタンが押下された際の動作については、後述する。
【００２９】
ＣＰＵ１は、ステップＳ２の後に、コピー基本画面の「内容の反映」ボタンの押下によって動作履歴情報反映指示をタッチパネル１０ａが受け付けたか否か判定し（ステップＳ３）、ステップＳ３において『ＹＥＳ』と判定した場合には、すなわち操作表示部１０が動作履歴情報反映指示を受け付けた場合には、検索結果画面に表示される動作履歴情報の各種設定の設定値をコピー条件に反映し（ステップＳ４）、スタートキーの押下によって操作表示部１０が複写開示指示を受け付けると、当該コピー条件に基づいて画像読取部６及び画像形成部８等の各部にコピー動作を実行させる（ステップＳ５）。
【００３０】
ＣＰＵ１は、ステップＳ３において『ＮＯ』と判定した場合には、すなわち操作表示部１０が動作履歴情報反映指示を受け付けていない場合には、ページ戻しボタンまたはページ送りボタンの押下によってページ戻し指示及びページ送り指示のいずれかを操作表示部１０が受け付けたか否か判定し（ステップＳ６）、ステップＳ６において『ＹＥＳ』と判定した場合には、すなわちページ戻し指示及びページ送り指示のいずれかを操作表示部１０が受け付けた場合には、前ページまたは次ページの検索結果画面をタッチパネル１０ａに表示させ（ステップＳ７）、ステップＳ３へ移行する。
【００３１】
ＣＰＵ１は、ステップＳ６において『ＮＯ』と判定した場合には、すなわちページ戻し指示及びページ送り指示のいずれかを操作表示部１０が受け付けていない場合には、「検索」ボタン押下によって検索画面表示指示を操作表示部１０が受け付けたか否か判定し（ステップＳ８）、ステップＳ８において『ＹＥＳ』と判定した場合には、すなわち検索画面表示指示を操作表示部１０が受け付けた場合には、タッチパネル１０ａに検索画面を表示させる（ステップＳ９）。
【００３２】
図６は、本実施形態に係る複合機Ａの検索画面を示す図である。上記検索画面は、動作履歴情報を検索する時の検索キーワードをユーザに入力させる為の画面である。そして、検索画面では、図６に示すように、キーワード入力フィールド、「ＯＫ」ボタン及び「Ｃａｎｃｅｌ」ボタンが表示される。キーワード入力フィールドは、動作履歴情報を検索する時の検索キーワードとして各種設定の名前をユーザが入力するフィールドである。そして、ＣＰＵ１は、「ＯＫ」ボタンが押下されると、キーワード入力フィールドに入力された設定がデフォルト値ではない動作履歴情報を動作履歴情報テーブルから検索する。
【００３３】
例えば、キーワード入力フィールドに「エコプリント」という文言が入力されて検索が行われた場合に、ＣＰＵ１は、エコプリント設定がデフォルト値ではない動作履歴情報を検索する。エコプリント設定のデフォルト値が「設定なし」であるとすると、図２の動作履歴情報テーブルの動作履歴情報番号「０００３」及び「０００４」の動作履歴情報が検索される。また、「Ｃａｎｃｅｌ」ボタンが押下されると検索画面が閉じられ、コピー基本画面に戻る。
【００３４】
この検索画面は、例えばステープル／パンチ設置を含む複数の設定を変更することを望むユーザが、上記ステップＳ３において所望の動作履歴情報を表示する検索結果画面が存在しなかった場合に、ステープル／パンチ設定以外の他の設定（例えば、エコプリント設定）がデフォルト値ではない動作履歴情報を検索する場合に活用する。そして、当該ユーザは、検索された中の所望の動作履歴情報に近い動作履歴情報をコピー条件に反映させた上で、不足している設定（例えば、ステープル／パンチ設定）を手動で設定する。これにより、ユーザは容易にコピー条件を変更することが出来る。
【００３５】
ＣＰＵ１は、ステップＳ９の後に、「ＯＫ」ボタンの押下によって検索指示をタッチパネル１０ａが受け付けると、キーワード入力フィールドにキーワードとして入力された設定がデフォルト値ではない動作履歴情報を動作履歴情報テーブルから検索し（ステップＳ１０）、上記ステップＳ２において当該検索結果に基づいて検索結果画面をタッチパネル１０ａに表示させる。
ＣＰＵ１は、ステップＳ８において『ＮＯ』と判定した場合には、すなわち検索画面表示指示を操作表示部１０が受け付けていない場合には、ステップＳ５に移行し、スタートキーの押下によって操作表示部１０が複写開示指示を受け付けると、現在設定されているコピー条件に基づいて画像読取部６及び画像形成部８等の各部にコピー動作を実行させる。
【００３６】
以上のように、複合機Ａでは、ＣＰＵ１は、所定の設定に応じた設定選択画面表示ボタンの押下によって設定選択画面表示指示をタッチパネル１０ａが受け付けると、押下された設定選択画面表示ボタンに応じた所定の設定がデフォルト値ではない動作履歴情報を動作履歴情報テーブルから検索し、検索結果に基づいて検索結果画面を表示する。そして、ＣＰＵ１は、検索結果画面の「内容の反映」ボタンの押下によって動作履歴情報反映指示をタッチパネル１０ａが受け付けると、検索結果画面が表示している動作履歴情報をコピー条件に反映する。さらに、ＣＰＵ１は、検索画面のキーワード入力フィールドにキーワードとして入力された設定がデフォルト値ではない動作履歴情報を動作履歴情報テーブルから検索し、検索結果に基づいて検索結果画面を表示する。
【００３７】
このように、複合機Ａでは、検索によって動作履歴情報を絞り込み、絞りこんだ結果を検索結果画面として表示する為、従来よりも容易に所望のコピー条件を動作履歴情報の中から見つけることが出来る。また、ユーザは、コピー基本画面の異なるタブに切り替え、切り替え先のタブの設定選択画面表示ボタンを押下しなければならない場合でも、検索画面を活用することによって、コピー基本画面のタブを切り替えなくても、簡単に動作履歴情報を検索することが出来る。
【００３８】
以上、本発明の一実施形態について説明したが、本発明は上記実施形態に限定されることなく、例えば以下のような変形が考えられる。
（１）上記実施形態では、ＣＰＵ１が、コピー機能の動作履歴情報を検索し、当該検索結果に基づいて動作履歴情報をタッチパネル１０ａに表示させたが、本発明はこれに限定されない。
例えば、ＣＰＵ１が、複合機Ａにおけるプリンタ機能、ファクシミリ機能及びスキャン機能等のコピー機能以外の機能の動作履歴情報を上記方法によって検索し、検索結果に基づいて動作履歴情報をタッチパネル１０ａに表示させるようにしてもよい。すなわち、本発明は、複合機Ａ等の画像形成装置に搭載されているあらゆる機能に適用することが出来る。
【００３９】
（２）上記実施形態では、ＣＰＵ１が、検索画面のキーワード入力フィールドに「 エコプリント」が入力されてから検索を行う場合に、エコプリント設定がデフォルト値ではない動作履歴情報を動作履歴情報テーブルから検索したが、本発明はこれに限定されない。
ＣＰＵ１は、上記ステップＳ１においてスプール／パンチ設定がデフォルト値ではない動作履歴情報を動作履歴情報テーブルから検索し、当該検索結果を検索画面に表示した後に、検索画面を表示し、キーワード入力フィールドに「エコプリント」が入力されてタッチパネル１０ａが検索指示を受け付けた場合に、スプール／パンチ設定がデフォルト値でではないかつエコプリント設定がデフォルト値ではない動作履歴情報を動作履歴情報テーブルから検索し、当該検索結果を検索結果画面に表示するようにしてもよい。
【００４０】
このように、既に検索されたスプール／パンチ設定がデフォルト値でではない動作情報の中からエコプリント設定がデフォルト値ではない動作履歴情報を検索することによって、上記ステップＳ１の検索の結果、スプール／パンチ設定がデフォルト値ではない動作履歴情報の数が多かったとしても、他に設定との組み合わせによって動作履歴情報を絞り込むことが出来る。
【００４１】
（３）上記実施形態では、ＣＰＵ１は、設定選択画面表示ボタンの一種である「ステープル／パンチ」ボタンの押下によって操作表示部１０がステープル／パンチ設定選択画面表示指示を受け付けると、ステープル／パンチ設定選択画面をタッチパネル１０ａに表示させると共に検索結果に基づいて検索結果画面をタッチパネル１０ａに表示させたが、本発明はこれに限定されない。
【００４２】
例えば、ＣＰＵ１が、ステープル／パンチ設定の検索指示のみを受け付けるステープル／パンチ設定検索ボタンをタッチパネル１０ａに表示させ、このステープル／パンチ設定検索ボタンの押下によって操作表示部１０がステープル／パンチ設定検索指示を受け付けると、ステープル／パンチ設定がデフォルト値ではない動作履歴情報を動作履歴情報テーブルから検索し、検索結果画面のみをタッチパネル１０ａに表示させるようしてもよい。
【００４３】
（４）上記実施形態では、ＣＰＵ１が、検索結果に基づいて１件ずつ動作履歴情報を検索画面に表示させたが、本発明はこれに限定されてない。
ＣＰＵ１が、検索結果に基づいて検索した動作履歴情報の一覧をタッチパネル１０ａに表示させるようにしてもよい。
【図面の簡単な説明】
【００４４】
【図１】本発明の一実施形態に係る複合機Ａの機能ブロック図である。
【図２】本発明の一実施形態に係る複合機Ａの動作履歴情報テーブルを示す模式図である。
【図３】本発明の一実施形態に係る複合機Ａの動作を示すフローチャートである。
【図４】本発明の一実施形態に係る複合機Ａのタッチパネル１０ａが表示するコピー基本画面を示す図である。
【図５】本発明の一実施形態に係る複合機Ａのステープル／パンチ設定選択画面及び検索結果画面を表示するコピー基本画面を示す図である。
【図６】本発明の一実施形態に係る複合機Ａの検索画面を示す図である。
【符号の説明】
【００４５】
Ａ…複合機、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル、１１…動作履歴情報記憶部
【図１】
2010105179.tif 000003
【図２】
2010105179.tif 000004
【図３】
2010105179.tif 000005
【図４】
2010105179.tif 000006
【図５】
2010105179.tif 000007
【図６】
2010105179.tif 000008